(57)【要約】【課題】ラッチボルトの進退動作が不能となった緊急時において、閉状態にある開き戸を開けることが可能となる緊急解除機能付きストライクを提供する。【解決手段】戸枠２０に設置される緊急解除機能付きストライク１は、戸枠２０に固定される固定部２と、開き戸２５のラッチボルト２６を挿入させることで当該開き戸２５を閉状態とする凹部１２が形成されていると共に固定部２から室外側Ａに離脱可能である可動部３と、室内側Ｂに設けられ、固定部２からの可動部３の離脱を規制する規制状態から当該離脱を許容する解除状態へと切り替える操作部４とを有している。【選択図】      図４
2011236582.tif 000002
【特許請求の範囲】
【請求項１】
通常使用時では室内側又は室外側のいずれか一方側に開くようにして戸枠に取り付けられた開き戸を、閉状態に保つために、当該戸枠に設置される緊急解除機能付きストライクであって、
前記戸枠に固定される固定部と、
前記開き戸のボルトを挿入させることで当該開き戸を閉状態とする凹部が形成されていると共に前記固定部から一方側に離脱可能である可動部と、
他方側に設けられ、前記固定部からの前記可動部の離脱を規制する規制状態から当該離脱を許容する解除状態へと切り替える操作部と、
を有していることを特徴とする緊急解除機能付きストライク。
【請求項２】
前記操作部は、前記固定部から他方側に延びているベース板と、第１の位置と第２の位置との間で位置変化可能として前記ベース板に設けられている切り替え部材と、を有し、
前記切り替え部材は、前記第１の位置にある状態で前記可動部が有している被係合部と係合し、前記第２の位置にある状態で前記係合を解除させる係合部を有している請求項１に記載の緊急解除機能付きストライク。
【請求項３】
前記固定部は、前記可動部を室内外方向に移動可能でかつ上下方向へは移動不能として上下両側から支持するガイドを有し、
上下の前記ガイド間の一方側端部には、一方側に向かって拡大した形状である受け口部が形成されている請求項１又は２に記載の緊急解除機能付きストライク。
【請求項４】
前記固定部は、前記可動部を室内外方向に移動可能でかつ上下方向へは移動不能として上下両側から支持するガイドと、前記可動部の一部が一方側から他方側へと当接することにより当該可動部の一方側端面を当該固定部の一方側端面と一致させるストッパ面と、を有している請求項１から３のいずれか一項に記載の緊急解除機能付きストライク。
【請求項５】
前記固定部は、前記戸枠の内面とほぼ面一となり前記開き戸の木口と対向する固定平面部を有し、
前記可動部は、前記固定平面部と面一となる可動平面部を有している請求項１から４のいずれか一項に記載の緊急解除機能付きストライク。
【発明の詳細な説明】
【技術分野】
【０００１】
本発明は、故障等により閉状態のままにある開き戸を緊急的に開けることが可能となる緊急解除機能付きストライクに関する。
【背景技術】
【０００２】
例えば、建物内の各部屋やトイレブース等の出入口に設けられている開き戸として、外側（室外側）に開くものがある。このような開き戸には、木口から突出した状態にあるラッチボルトを後退させる進退機構と、この進退機構を操作するハンドル（つまみ）とが設けられている。
開き戸を閉じた状態では、突出した状態にあるラッチボルトが、戸枠に設置されているストライクの凹部に挿入されており、当該開き戸が風等で勝手に開かないように戸枠に仮閉めすることができる。そして、ハンドルを操作することにより、進退機構によってラッチボルトを後退させると、ラッチボルトとストライクとの係合が解け、開き戸が開放可能となる（例えば、特許文献１参照）。
【先行技術文献】
【特許文献】
【０００３】
【特許文献１】特開２０１０−７０９４８号公報
【発明の概要】
【発明が解決しようとする課題】
【０００４】
しかし、従来の構造では、開き戸が閉じた状態で、例えば、前記ハンドルや前記進退機構の故障によりラッチボルトの動作（後退）が不能となり、ラッチボルトが突出したままの状態となってしまった場合に、室内に人が閉じこめられることがある。この場合、室内の人は室外へと脱出することが困難となる。なお、このような不具合は、ラッチボルトに限らず、デッドボルトにおいても発生し得る。つまり、開き戸が閉状態で、デッドボルトを進退（後退）させる機構が故障し、デッドボルトが開き戸内に格納されなくなってしまった場合も、室内に人が閉じこめられることがある。
そこで、本発明は、開き戸が有しているボルトの進退動作（後退）が不能となった緊急時において、閉状態にある開き戸を開けることが可能となる緊急解除機能付きストライクを提供することを目的とする。
【課題を解決するための手段】
【０００５】
本発明の緊急解除機能付きストライクは、通常使用時では室内側又は室外側のいずれか一方側に開くようにして戸枠に取り付けられた開き戸を、閉状態に保つために、当該戸枠に設置される緊急解除機能付きストライクであって、前記戸枠に固定される固定部と、前記開き戸のボルトを挿入させることで当該開き戸を閉状態とする凹部が形成されていると共に前記固定部から一方側に離脱可能である可動部と、他方側に設けられ、前記固定部からの前記可動部の離脱を規制する規制状態から当該離脱を許容する解除状態へと切り替える操作部とを有していることを特徴とする。
【０００６】
本発明によれば、前記規制状態では、固定部からの可動部の離脱が規制され、可動部は固定部と共に戸枠に固定された状態となる。この規制状態では、開き戸が有しているボルトが可動部の凹部に挿入されており当該開き戸は閉状態に保たれる。
しかし、開き戸が閉状態にあり、故障等によりボルトの後退動作が不能となって、ボルトが突出したままとなってしまった場合、操作部において規制状態から解除状態へと切り替えると、固定部からの可動部の離脱が許容される。このため、開き戸のボルトが可動部の凹部に挿入されている状態で当該開き戸を一方側に押すと、可動部は当該開き戸と共に一方側に移動して固定部から離脱することができ、当該開き戸をそのまま一方側に開けることが可能となる。
なお、開き戸が有している前記ボルトには、例えば、ラッチボルトとデッドボルトとがある。
【０００７】
また、前記操作部は、前記固定部から他方側に延びているベース板と、第１の位置と第２の位置との間で位置変化可能として前記ベース板に設けられている切り替え部材とを有し、前記切り替え部材は、前記第１の位置にある状態で前記可動部が有している被係合部と係合し、前記第２の位置にある状態で前記係合を解除させる係合部を有しているのが好ましい。
この場合、操作部が有している切り替え部材を位置変化させることで、可動部を規制状態又は解除状態とすることができる。
【０００８】
また、前記固定部は、前記可動部を室内外方向に移動可能でかつ上下方向へは移動不能として上下両側から支持するガイドを有し、前記ガイド間の一方側端部には、一方側に向かって拡大した形状である受け口部が形成されているのが好ましい。
この場合、固定部から離脱させた可動部を、ガイドに沿って一方側から他方側へと移動させ、固定部に復帰させる際に、ガイド間の一方側端部に、一方側に向かって拡大した形状である受け口部が形成されているので、復帰させる操作が簡単となる。
【０００９】
また、前記固定部は、前記可動部を室内外方向に移動可能でかつ上下方向へは移動不能として上下両側から支持するガイドと、前記可動部の一部が一方側から他方側へと当接することにより当該可動部の一方側端面を当該固定部の一方側端面と一致させるストッパ面とを有しているのが好ましい。
この場合、可動部は、固定部のガイドに沿って移動して離脱することができ、また、離脱した可動部を、ガイドに沿って移動させ固定部に復帰させることが可能となる。そして、可動部の一部を固定部のストッパ面に当接させると、可動部の一方側端面と固定部の一方側端面とが一致し、ストライクの一方側の端面を面一とすることができる。
【００１０】
また、前記固定部は、前記戸枠の内面とほぼ面一となり前記開き戸の木口と対向する固定平面部を有し、前記可動部は、前記固定平面部と面一となる可動平面部を有しているのが好ましい。
この場合、通常使用時では、固定部の固定平面部と可動部の可動平面部とを、戸枠の内面とほぼ面一にすることができ、これら平面部と、開き戸の木口との隙間を一定とすることが可能となる。
【発明の効果】
【００１１】
本発明によれば、開き戸が閉状態にあり、故障等によりボルトの後退動作が不能となって、ボルトが突出したままとなってしまった場合、操作部によって規制状態から解除状態へと切り替えると、固定部からの可動部の離脱が許容される。このため、開き戸のボルトが可動部の凹部に挿入されている状態で当該開き戸を一方側に押すと、可動部は当該開き戸と共に一方側に移動して固定部から離脱することができ、当該開き戸をそのまま一方側に開けることが可能となる。
【図面の簡単な説明】
【００１２】
【図１】本発明の緊急解除機能付きストライクの実施の一形態を示す正面図である。
【図２】緊急解除機能付きストライクの平面図である。
【図３】ストライク及び閉状態にある開き戸を室外側から見た図である。
【図４】固定部から可動部が室外側へ離脱した状態を示している正面図である。
【図５】操作部による機能を説明する説明図である。
【発明を実施するための形態】
【００１３】
以下、本発明の実施の形態を図面に基づいて説明する。
図１は、本発明の緊急解除機能付きストライクの実施の一形態を示す正面図であり、図２は、緊急解除機能付きストライクの平面図である。
緊急解除機能付きストライク１（以下、単にストライク１という）は、例えば、建物内の部屋の出入口に設けられている戸枠（開口枠）２０の内面２１に設置されており、通常使用時では、戸枠２０に蝶番（図示せず）によって開閉自在として取り付けられた開き戸２５（図２参照）を、後に説明する当該開き戸２５のラッチボルト２６（及び／又はデッドボルト）との共同により、閉状態に保つことができる。
【００１４】
なお、開き戸２５は、室内側Ｂ又は室外側Ａのいずれか一方側に開くものであればよいが、以下において説明する本実施形態では、開き戸２５は、室外側Ａに開くようにして戸枠２０に取り付けられた場合である。つまり、室外側Ａが、開き戸２５の開く一方側となり、室内側Ｂが、その反対となる他方側となる。
図３は、ストライク１及び閉状態にある開き戸２５を室外側Ａから見た図である。なお、図３では、ストライク１の下部を断面として示している。
【００１５】
図２において、開き戸２５は、室外側Ａに開くようにして戸枠２０に取り付けられており、この開き戸２５が有しているボルト（本実施形態ではラッチボルト）２６が、ストライク１に形成されている凹部１２に挿入した状態となることにより、開き戸２５を閉状態に保つことができる。なお、図示しないが、開き戸２５が有しているデッドボルトも、凹部１２に挿入した状態となることにより、開き戸２５を閉状態（施錠状態）に保つことができるが、本実施形態では、ラッチボルト２６のみについて説明する。
開き戸２５のラッチボルト２６は、自由状態で開き戸２５の木口２７から突出した状態にあり、図示しないが、当該開き戸２５が有しているハンドルを室内側Ｂから及び室外側Ａから操作することにより、開き戸２５に内蔵されている進退機構によって、ラッチボルト２６を木口２７から突出した状態から、開き戸２５の内部へ引き込んだ状態へと切り替えることができる。この引き込ませた状態では、ラッチボルト２６とストライク１の凹部１２との係合が解け、開き戸２５が開放可能となる。また、この開き戸２５は、戸枠２０の戸当たり２２に当接することで、室外側Ａにのみ開くことができる。
【００１６】
そして、本発明のストライク１は、開き戸２５の前記ハンドルや前記進退機構の故障により、閉状態にある開き戸２５のラッチボルト２６の引き込み動作（後退）が不能となり、ラッチボルト２６が突出しストライク１の凹部１２に挿入したままの状態となってしまった時に、当該閉状態の開き戸２５を緊急的に室内側Ｂから室外側Ａに開けることができる機能を有しており、その本体部が、固定部２と可動部３とに分割された構成である。
すなわち、ストライク１は、戸枠２０に固定されている固定部２と、前記凹部１２が形成されていると共に固定部２から室外側Ａ（一方側）に離脱可能である可動部３と、操作部４とを有している。
【００１７】
操作部４は、閉状態にある開き戸２５よりも室内側Ｂに設けられ、固定部２からの可動部３の離脱を規制する規制状態から当該離脱を許容する解除状態へと切り替えることができる。つまり、操作部４は、前記規制状態と前記解除状態とを択一的に切り替える機能を有している。そして、図４は、戸枠２０に固定された固定部２から、可動部３が室外側Ａへ離脱した状態を示している正面図である。
【００１８】
図４において、前記固定部２は、金属製の平板から構成されており、平板に大きな切り欠きが形成された横向きのＵ字状の部材である。固定部２は、皿ネジ２３によって戸枠２０の内面２１に固定されており、図２と図３とに示しているように、固定部２は、戸枠２０の内面２１とほぼ面一となり閉状態の開き戸２５の木口２７と対向する固定平面部１５と、この固定平面部１５から曲面的に曲げられた曲がり部１６とを有している。
なお、前記ほぼ面一とは、固定平面部１５の厚さ分（例えば、１〜２ミリ）について、戸枠２０の内面２１から当該固定平面部１５が出ている状態を意味している。しかし、完全な面一となるように固定部２（固定平面部１５）は戸枠２０に取り付けられていてもよい。
【００１９】
図４において、前記可動部３は、金属製や樹脂製の平板から構成されており、孔１１ａが形成されたほぼ矩形の板状部材１１と、この板状部材１１の裏面に例えば溶接によって固定されたボックス部１３とを有している。ボックス部１３は前記孔１１ａにおいて開口しており、このボックス部１３に囲まれた領域が前記凹部１２である。
また、可動部３は、板状部材１１から室内側Ｂに延びている延伸板部１１ｂを有しており、この延伸板部１１ｂは、後に説明する操作部４が有する切り替え部材（揺動部材７）に係合する被係合部（爪部）１８を有している。
【００２０】
また、図３に示しているように、可動部３は、前記固定平面部１５と面一となる可動平面部１４を有している。可動平面部１４は前記板状部材１１からなる。可動平面部１４は、固定平面部１５と同様に、戸枠２０の内面２１とほぼ面一となり、閉状態の開き戸２５の木口２７と対向する。また、可動部３は、可動平面部１４から曲げられた曲がり部１７を有している。
可動部３が固定部２から離脱していない状態（図１の通常使用時）では、固定部２の固定平面部１５と可動部３の可動平面部１４とを、戸枠２０の内面２１とほぼ面一にすることができ、これら平面部１５，１４と、開き戸２５の木口２７との隙間ｇは一定となる（図３参照）。
【００２１】
また、図４において、通常使用時には、可動部３が固定部２によって支持されるように、及び、緊急時には、固定部２に対して可動部３がスムーズに室内外方向に移動することができるように、可動部３は、上下の被ガイド部３０，３０を有している。
そして、固定部２は、可動部３を、室内外方向にスライド移動可能でかつその他の方向（上下方向、及び開き戸２５の木口２７に接離する方向（左右方向という））へは移動不能として、上下両側から支持する上下のガイド３１，３１を有している。
【００２２】
ガイド３１は、可動部３の板状部材１１（可動平面部１４）を上下方向から挟む上下のガイド本体板１９，１９と、図３のストライク１の下部に示しているように、これらガイド本体板１９，１９それぞれの裏面との間で前記被ガイド部３０を前記左右方向から挟む挟み部材１９ｂとを有している。なお、前記ガイド本体板１９は、前記固定平面部１５の内の一部であり、可動部３の上下に位置する部分である。そして、可動部３の被ガイド部３０，３０は、ガイド３１，３１に沿って室内外方向に摺動可能となる。
【００２３】
図１と図２とにおいて、前記操作部４は、固定部２から室内側Ｂに延びているベース板６と、このベース板６に位置変化自在として取り付けられている切り替え部材とを有している。なお、本実施形態では、切り替え部材は、ベース板６に軸９によって揺動自在として取り付けられている揺動部材７である。
揺動部材７は、揺動することにより第１の位置（図２の状態）と第２の位置（図５の状態）との間で切り替わることができる。揺動部材７は、バネ８によって、第１の位置となるように付勢されているが、利用者（室内側Ｂから室外側Ａに出ようとする者）が、揺動部材７の操作部材７ａをバネ８に抗して押し込むことにより、揺動部材７は第２の位置となることができる。
【００２４】
揺動部材７は、可動部３の前記被係合部（爪部）１８を係合させる係合部７ｂを有している。揺動部材７が第１の位置（図２）にある状態では、当該揺動部材７の係合部７ｂに、可動部３の被係合部１８が係合した状態にあり、固定部２からの可動部３の離脱を規制する前記規制状態となる。これに対して、利用者の操作によって、揺動部材７を第２の位置（図５）とすると、係合部７ｂと被係合部１８との間の係合が解除され、固定部２からの可動部３の離脱が解除された前記解除状態となる。このように、揺動部材７を揺動させることで、可動部３を規制状態又は解除状態とすることができる。
【００２５】
また、操作部４は、揺動部材７を覆うカバー１０を有しており、このカバー１０は、例えば樹脂製であり、ベース板６に対して着脱可能な構成である。このため、利用者が揺動部材７を揺動させる必要があると、当該利用者はカバー１０を取り除く。なお、図２と図５とはカバー１０を外した状態である。また、通常使用時では、揺動部材７がカバー１０によって覆われているため、誤操作を防ぐことができる。
【００２６】
操作部４は、戸当たり２２の一部が切り欠かれた切り欠き部２８（図１参照）に取り付けられている。
また、操作部４の操作部材７ａは、戸当たり２２から室内側Ｂへはみ出した位置に存在しており、利用者は、室内側Ｂから操作部材７ａを操作することにより、揺動部材７を容易に揺動させることができる。
【００２７】
このように構成された本実施形態のストライク１によれば、操作部４による規制状態では、戸枠２０に固定されている固定部２からの可動部３の離脱が規制され、可動部３は固定部２と共に戸枠２０に固定された状態となる。この規制状態では、開き戸２５が有しているラッチボルト２６が可動部３の凹部１２に挿入されており（図２参照）、当該開き戸２５は閉状態に保たれている。
しかし、開き戸２５の前記ハンドルや前記進退機構の故障により、閉状態にある開き戸２５のラッチボルト２６の動作（後退）が不能となり、ラッチボルト２６が突出しストライク１の凹部１２に挿入したままの状態となってしまった場合、この閉態にある開き戸２５を、緊急的に室内側Ｂから室外側Ａに開ける必要がある。そこでこの場合に、操作部４の揺動部材７を第１の位置（図２）から第２の位置（図５）へと揺動させることにより、規制状態から解除状態へと切り替え、固定部２からの可動部３の離脱が許容される状態とする。そして、この状態のまま、開き戸２５を室外側Ａに押せば、図４に示しているように、可動部３は開き戸２５と共に室外側Ａに移動して固定部２から離脱することができ、開き戸２５をそのまま室外側Ａに開けることが可能となる。
【００２８】
次に、戸枠２０に固定部２を残して当該固定部２から離脱した可動部３を、固定部２に取り付ける（復帰させる）ための構成について説明する。
前記のとおり（図４参照）、固定部２は、可動部３を室内外方向にスライド移動可能で、かつその他の方向へは移動不能として上下両側から支持するガイド３１，３１を有している。
そして、上下のガイド３１，３１間の室外側Ａの端部には、室外側Ａに向かって拡大した形状である受け口部２４が形成されている。すなわち、上側のガイド３１が有しているガイド本体板１９と、下側のガイド３１が有しているガイド本体板１９との上下方向の間隔Ｅは、室外側Ａの端部を除いて、一定であるが（室内側Ｂの間隔Ｅ０＝一定）、室外側Ａの端部では、前記間隔Ｅは広がった形状となっている（室外側Ａの端部の間隔Ｅ１＞Ｅ０）。
【００２９】
そして、可動部３が有しているほぼ矩形の板状部材１１の（被ガイド部３０を除いた）上下方向の寸法Ｋは、一定である前記間隔Ｅ０と同一乃至僅かに小さく設定されている。
この構成によれば、固定部２の室外側Ａには、離脱した可動部３を受け入れる開口となる前記受け口部２４が設けられており、しかも、この受け口部２４は、室外側Ａに向かって直線的に拡大するようにして形成されているので、固定部２から離脱させた可動部３を、固定部２に復帰させる操作が簡単となる。
【００３０】
さらに、可動部３の室外側Ａの部分１１ｃは、前記受け口部２４の輪郭と同じ形状を有している。そして、固定部２は、室外側Ａにストッパ面２４ａを有しており、このストッパ面２４ａには、可動部３の一部である前記室外側Ａの部分１１ｃが室外側Ａから室内側Ｂへと当接する。なお、本実施形態では、ストッパ面２４ａは、前記受け口部２４の範囲に形成されており、ストッパ面２４ａは、前記間隔ＥがＥ０からＥ１へと直線的に拡大している傾斜面である。
【００３１】
そして、固定部２から外れていた可動部３を、固定部２の前記受け口部２４から挿し入れ、ガイド３１をスライドさせて、固定部２に再度取り付けることができる。また、可動部３の室外側Ａの部分１１ｃを、固定部２のストッパ面２４ａに当接させた嵌め込み完了状態で、図１に示しているように、可動部３の曲がり部１７の室外側端面１７ａが、固定部２の曲がり部１６の室外側端面１６ａと一致することができるように、可動部３及び固定部２の各部の寸法が設定されている。
このように、可動部３の前記部分１１ｃを固定部２のストッパ面２４ａに当接させることで、可動部３の室外側端面１７ａと固定部２の室外側端面１６ａとが一致し、ストライク１の室外側の端面を面一とすることができる。
【００３２】
そして、操作部４において、前記規制状態とすることにより、可動部３は固定部２に固定され、可動部３は戸枠２０に固定された状態となる。これにより、ストライク１を通常使用状態に復帰させることができる。
【００３３】
以上の構成を備えたストライク１によれば、開き戸２５の前記ハンドルや前記進退機構の故障により、閉状態にある開き戸２５のラッチボルト２６の動作（後退）が不能となり、ラッチボルト２６が突出しストライク１の凹部１２に挿入したままの状態となってしまっても、この開き戸２５を開けることが可能となる。このため、室内側Ｂに人が閉じこめられた場合であっても、開き戸２５を室外側Ａへ開けて脱出することができる。
【００３４】
なお、前記実施形態では、開き戸２５が、室外側Ａに開くようにして戸枠２０に取り付けられた場合を説明したが、開き戸２５は、室内側又は室外側のいずれか一方側に開くものであればよく、室内側に開くものであってもよい。この場合、前記実施形態と室内外方向で反対向きにストライクを設置する。
【００３５】
また、本発明のストライク１は、図示する形態に限らず本発明の範囲内において他の形態のものであってもよい。例えば、操作部４の構成は、前記実施形態のものに限らず、その他の構成であってもよい。前記切り替え部材は、揺動する形態（揺動部材７）以外であってもよく、図示しないが、スライド移動するものであってもよい。
【符号の説明】
【００３６】
１：ストライク（緊急解除機能付きストライク）
２：固定部
３：可動部
４：操作部
６：ベース板
７：揺動部材（切り替え部材）
７ｂ：係合部
１２：凹部
１４：可動平面部
１５：固定平面部
１６ａ：室外側端面（一方側端面）
１７ａ：室外側端面（一方側端面）
１８：被係合部
２０：戸枠
２１：内面
２４：受け口部
２４ａ：ストッパ面
２５：開き戸
２６：ラッチボルト（ボルト）
２７：木口
３１：ガイド
Ａ：室内側
Ｂ：室外側
【図１】
2011236582.tif 000003
【図２】
2011236582.tif 000004
【図３】
2011236582.tif 000005
【図４】
2011236582.tif 000006
【図５】
2011236582.tif 000007